(57)【要約】【課題】グループ毎に調光制御する照明制御システムにおいて、グループ間の照明器具の出力の差によって快適性が損なわれることを防ぐ。【解決手段】照明制御システム１は、複数の照明器具１０を備える。各照明器具１０は、配置エリアに応じて複数のグループのいずれかに割り付けられ、隣接するグループの境界近傍の照明器具１０は、隣接するグループに重複して割り付けられる。各グループは、明るさセンサ１６を備える。照明器具１０の通信部１４は、明るさセンサ１６による計測値に基づいて生成された調光信号を同一グループ内の各照明器具１０に送信し、制御部１３は、同一グループ内の各照明器具１０を調光信号に従って調光制御し、隣接するグループに重複して割り付けられている照明器具１０を隣接するグループの照明器具１０の出力の略平均値の出力で調光制御する。これにより、グループ間の照明器具１０の出力の差が目立たなくなる。【選択図】図１
2009289471.tif 000002
【特許請求の範囲】
【請求項１】
光源と、前記光源を調光する点灯回路と、前記点灯回路を制御する制御部と、を備えた照明器具が複数配置され、前記照明器具は、互いに信号を通信する通信部を備えた照明制御システムであって、
前記照明器具の各々は、配置エリアに応じて複数のグループのいずれかに割り付けられていると共に、隣接するグループの境界近傍のエリアに配置された照明器具は、隣接するグループに重複して割り付けられており、
前記グループの各々は、当該エリアにおける明るさを計測する明るさセンサを少なくとも一つ備え、
前記通信部は、前記明るさセンサによる計測値に基づいて生成された調光信号を同一グループ内の各照明器具に送信し、
前記制御部は、同一グループ内の各照明器具を前記調光信号に従って調光制御すると共に、隣接するグループに重複して割り付けられている照明器具を隣接するグループの照明器具の出力の略平均値の出力で調光制御すること特徴とする照明制御システム。
【発明の詳細な説明】
【技術分野】
【０００１】
本発明は、複数の照明器具を備えた照明制御システムに関する。
【背景技術】
【０００２】
従来から、複数の照明器具をグループ化し、各グループ毎に照明器具の出力を制御する照明制御システムが知られている（例えば、特許文献１参照）。このような照明制御システムは、机上面照度を計測する明るさセンサを有し、明るさセンサによって計測した計測値を親機に伝送し、親機が予め設定された目標値と明るさセンサによる計測値とを比較して差がある場合、両方の値が等しくなるように照明器具の調光率を調整する。
【０００３】
しかしながら、このようにグループ毎に調光率を制御する照明制御システムにおいては、隣接するグループの設定出力が相違すると、隣接するグループの境界近傍のエリアで、グループ間の出力の違いが顕著となって、快適性が損なわれることがある。
【特許文献１】特開２００２−２９９０７２号公報
【発明の開示】
【発明が解決しようとする課題】
【０００４】
本発明は、上記問題を解決するものであり、複数の照明器具で形成されるグループ毎に調光制御する照明制御システムにおいて、グループ間の照明器具の出力の差によって快適性が損なわれることを防ぐことを目的とする。
【課題を解決するための手段】
【０００５】
上記目的を達成するために請求項１に記載の発明は、光源と、前記光源を調光する点灯回路と、前記点灯回路を制御する制御部と、を備えた照明器具が複数配置され、前記照明器具は、互いに信号を通信する通信部を備えた照明制御システムであって、前記照明器具の各々は、配置エリアに応じて複数のグループのいずれかに割り付けられていると共に、隣接するグループの境界近傍のエリアに配置された照明器具は、隣接するグループに重複して割り付けられており、前記グループの各々は、当該エリアにおける明るさを計測する明るさセンサを少なくとも一つ備え、前記通信部は、前記明るさセンサによる計測値に基づいて生成された調光信号を同一グループ内の各照明器具に送信し、前記制御部は、同一グループ内の各照明器具を前記調光信号に従って調光制御すると共に、隣接するグループに重複して割り付けられている照明器具を隣接するグループの照明器具の出力の略平均値の出力で調光制御するものである。
【発明の効果】
【０００６】
請求項１に記載の発明によれば、隣接するグループの境界近傍のエリアに配置された照明器具の調光制御によってグループ間の照明器具の出力の差が目立たなくなるので、出力の差によって快適性が損なわれることを防ぐことができる。
【発明を実施するための最良の形態】
【０００７】
以下、本発明の第１の実施形態に係る照明制御システムについて説明する。図１は、本実施形態の照明制御システムの構成を示す。この照明制御システム１は、１系統の通信信号線２０に対して複数台の照明器具１０を備え、各照明器具１０は、通信部１４を介して相互通信を行う。各照明器具１０は、光源１１と、光源１１を点灯する点灯回路１２と、点灯回路１２を制御する制御部１３と、他の照明器具１０と信号２１を相互通信する通信部１４と、を備える。
【０００８】
光源１１は、蛍光灯、白熱電球、高輝度放電灯又はＬＥＤ等であり、点灯回路１２は、光源１１の出力（光出力）を調光して点灯する回路である。制御部１３は、例えば、マイクロプロセッサ又はロジックＩＣ等から成る。また、照明器具１０は、点灯、消灯等の遠隔操作をするリモコン１７を備える。リモコン１７からのリモコン信号は、照明器具１０のリモコン受信部１３２を介して制御部１３に入力される。１台のリモコン１７を複数台の照明器具１０で共用するようにしてもよい。明るさセンサ（以下、センサという）１６は、プラグインタイプのセンサであり、所望の照明器具１０に着脱可能とされている。
【０００９】
照明器具１０の各々は、配置エリアに応じて複数のグループのいずれかに割り付けられている。図１には、一つのグループのみを示している。グループの各々は、当該エリアにおける明るさを計測するセンサ１６を少なくとも一つ備える。各照明器具１０には、予め個別の器具アドレスと、グループ番号が割り振られている。例えば、同じグループ番号の照明器具１０にはセンサ１６が搭載されたものが複数台あり、その中の１台が親機１０ｐ、残りが子機１０ｃとなるように設定される。
【００１０】
各照明器具１０は、通信信号線２０に信号２１を送信する時には、ＣＳＭＡ／ＣＡ（Carrier Sense Multiple Access/Collision Detection）等のアクセス制御方式を用いて通信媒体上で生じる信号の衝突を回避する。信号の衝突を回避する手段であれば、これに限定されるものではない。なお、通信信号線２０に代えて、照明器具１０に電力を供給する電源線を用いた電力線通信が適用されてもよい。
【００１１】
図２は、制御部１３とセンサ１６の構成を示す。制御部１３は、センサ１６の計測値を検知電圧として受信するセンサ電圧受信部１３１と、リモコン１７からのリモコン信号を受信するリモコン受信部１３２と、制御等に用いる記憶情報を記憶する記憶部１３３と、受信したセンサ１６の計測値や調光率を演算する演算部１３４と、調光率を決定する判別部１３５と、判別部１３５にて決定された調光率を調光信号に変換して出力する調光信号出力部１３６とを備える。
【００１２】
センサ１６は、当該グループの照明器具１０が照明するエリアにおける机上面等の被照射面の明るさを計測するものである。センサ１６は、光を検知して電圧へ変換する光検知部１６１と、光検知部１６１にて得た電圧を演算によって誤差補正する演算部１６２と、演算部１６２が出力した電圧値を制御部１３へ送信する通信部１６３とを備える。演算部１６２における誤差補正の方法は、例えば、複数回センサ電圧の計測を行い、その平均を演算する方法が挙げられる。
【００１３】
各照明器具１０は、センサ１６の抜き差しを支持するセンサ挿入部（図示せず）を備える。照明器具１０にセンサ１６が接続されている時は、制御部１３へセンサ１６の検知信号が送られ、制御部１３は、センサ信号を受信していることによってセンサ１６が接続されていることを把握する。センサが接続されていない場合は、制御部１３は、検知信号が送られてこないため、センサ１６が接続されていないことを把握する。
【００１４】
グループ内の子機１０ｃは、自身のセンサ電圧を計測し、計測値を親機１０ｐへ送信するセンサとして働き、計測値と共に、自己の属性情報（器具アドレス、グループ番号）を同時に信号２１に載せて送信する。グループ内の親機１０ｐは、子機１０ｃより送られてくる属性情報の数より、グループ内のセンサ１６の数を把握し、センサ１６の各々の計測値の合計を、把握したセンサ１６の数で除することによって平均値を演算する。親機１０ｐは、予め、センサ１６の各々の目標値の平均値を記憶部１３３に記憶しており、計測値の平均値が目標値の平均値となるようにグループの照明器具１０の調光率を制御する制御装置として働く。
【００１５】
ここで、本実施形態のグループ分けを行わない場合について説明する。図４は、その場合の照明器具の配置とグループ分けを示す。例えば、事務所、会議室等において、窓側から奥側に向けて天井面に複数の照明器具が順次配列設置されている。窓に近い配置エリアに配置されている照明器具４０は、窓側グループ（Ａグループ）４１Ａに割り付けられ、窓から遠い配置エリアに配置されている照明器具４０は、窓無しグループ（Ｂグループ）４１Ｂに割り付けられる。各グループ４１Ａ、４１Ｂは、グループ毎に予め設定した目標照度と比較して調光制御を行う。窓側グループ４１Ａの照明器具４０は、窓から入射する外光の影響を受け、例えば、調光率７０％で調光制御されるのに対し、窓無しグループ４１Ｂの照明器具４０は、それよりも調光率の高い、例えば、９０％で調光制御される。この場合、窓側グループ４１Ａと窓無しグループ４１Ｂの間に２０％の調光率の差が生じることになり、明暗の差が目立ってしまい、ＡグループとＢグループの境界近傍で作業を行う人への快適性が損なわれることがある。
【００１６】
一方、本実施形態のグループ分けを行なう場合について説明する。図３は、本実施形態の照明器具の配置とグループ分けを示す。例えば、窓に近い配置エリアに配置されている照明器具１０は、窓側グループ（Ａグループ）３０Ａに割り付けられ、窓から遠い配置エリアに配置されている照明器具１０は、窓無しグループ（Ｂグループ）３０Ｂに割り付けられる。隣接するグループ３０Ａ、３０Ｂの境界近傍のエリアに配置された照明器具１０は、隣接するグループ３０Ａ、３０Ｂに重複して割り付けられる（以下、重複グループという）。Ａグループの照明器具１０にはセンサ１６の搭載されたものが複数台あり、その中の1つが親機１０Ａｐ、残りが子機となるように設定される。同様に、Ｂグループの照明器具１０にはセンサ１６の搭載されたものが複数台あり、その中の1つが親機１０Ｂｐ、残りが子機となるように設定される。この例では、子機１０ｃがグループ３０Ａ、３０Ｂに重複して割り付けられている。
【００１７】
Ａグループの親機１０Ａｐは、同グループの子機１０ｃよりセンサ１６の計測値を受信し、親機１０Ａｐのセンサ１６と子機１０ｃのセンサ１６の計測値の平均値より調光率を決定し、Ａグループ内の照明器具１０にその調光率を調光信号として送信する。同様に、Ｂグループの親機１０Ｂｐは、同グループの子機１０ｃよりセンサ１６の計測値を受信し、親機１０Ｂｐのセンサ１６と子機１０ｃのセンサ１６の計測値の平均値より調光率を決定し、Ｂグループ内の照明器具にその調光率を調光信号として送信する。制御部１３は、同一グループ内の各照明器具１０を調光信号に従って調光制御する。
【００１８】
重複グループの照明器具１０は、予め自身が重複して割り付けられていることを記憶部１３３に記憶しており、割り付けられているグループ数（この場合は２）の調光率を受信する度に、そのグループ数で除して平均値を演算する。制御部１３は、演算した調光率の出力で調光制御する。すなわち、制御部１３は、隣接するグループに重複して割り付けられている照明器具１０を隣接するグループの照明器具１０の出力の略平均値の出力で調光制御する。
【００１９】
上記の調光制御により、例えば、窓からの外光を受けてＡグループが７０％の調光率、窓から遠いＢグループが９０％の調光率の調光信号を送信した際には、重複グループは８０％の調光率となる。また、外光量が減り、Ａグループが８０％、Ｂグループが９０％の調光率の調光信号を送信した際には、重複グループは８５％の調光率となる。外光が無い状態においては、ＡグループとＢグループが共に９０％の調光率となるために、重複グループも同じ９０％の調光率となる。
【００２０】
また、重複グループの照明器具１０を親機とした場合、ＡグループとＢグループの両方の照明器具１０をＡグループとＢグループの平均の調光率で制御をすることが可能となる。重複グループの照明器具１０を親機にするかどうかは、照明制御システム１の用途によって使い分けることが可能である。
【００２１】
このように本実施形態の照明制御システム１は、隣接するグループの境界近傍のエリアに配置された照明器具１０の調光制御によって、グループ間の照明器具１０の出力の差が目立たなくなるので、出力の差によって快適性が損なわれることを防ぐことができる。
【００２２】
次に、本発明の第２の実施形態に係る照明制御システムについて説明する。本実施形態の照明制御システムの構成は、第１の実施形態と同様の構成を有し、重複グループにおける調光率の演算が異なる。
【００２３】
図５は、本実施形態における記憶部１３３の中の調光率の記憶領域を示す。複数のグループに重複して割り付けられた重複グループの照明器具１０は、各々割り付けられているグループ数に応じた調光率の記憶領域を記憶部１３３の中に有する。例えば、ＡグループとＢグループに重複して割り付けられた照明器具１０は、Ａグループに対応した記憶領域１３３ＡとＢグループに対応した記憶領域１３３Ｂを記憶部１３３に有する。重複グループの照明器具１０は、この記憶領域１３３Ａ、１３３Ｂにそれぞれのグループから送られてくる調光率を格納し、両方の記憶領域１３３Ａ、１３３Ｂに調光率が格納された時に、割り付けられているグループ数で除する平均化処理の演算を行う。例えば、Ａのグループから７０％という調光率が調光信号として送られてきた後に、もう一度Ａグループから７１％という調光率が送られてきた場合において、既に記憶領域１３３Ａに調光率が格納されているので、受信しない。Ｂのグループより調光率が送られてくるまでＡグループからの受信や演算は行わず、受信待ちを行う。Ｂグループから９０％という調光率が送られてきた際に、記憶領域１３３Ｂに調光率を格納し、両方の記憶領域１３３Ａ、１３３Ｂに格納された調光率から、（７０％＋９０％）／２＝８０％という演算を行い、その値で調光制御する。
【００２４】
また、上記においては、一度Ａグループから調光率を受信した後は、その他のＡグループから送られてきた調光率を無視する制御を示したが、Ａグループから調光率を一度受信した後、更にＡグループから異なる調光率を受信した際に、その都度記憶領域１３３Ａに格納された調光率を更新してもよい。例えば、Ａグループから７０％という調光率を受信した後に、もう一度Ａグループから７１％という調光率を受信した場合は、記憶領域１３３Ａを後から受信した調光率である７１％に書き換え、Ｂグループの受信待ちを行う。Ｂグループより９０％という調光率が送られてきた際に、記憶領域１３３Ｂに調光率を格納し、（７１％＋９０％）／２＝８０．５％という演算を行い、その値で調光制御する。
【００２５】
第１の実施形態では、同じグループから受信した調光率を平均化処理してしまうために、複数のグループの平均化処理が行えないことがあり得るが、第２の実施形態では、重複グループの照明器具１０は、割り付けられているグループ数に応じた記憶領域を備え、その記憶領域が満たされた時に平均化処理を行うため、平均化処理の確実性を向上することができる。
【００２６】
なお、本発明は、上記の実施形態の構成に限られず、発明の要旨を変更しない範囲で種々の変形が可能である。例えば、隣接するグループの照明器具１０の出力の平均値の演算は、算術平均に限定されず、隣接するグループの照明器具１０の出力の差が目立たなくなる程度の中間の値、すなわち略平均値であってもよい。
【図面の簡単な説明】
【００２７】
【図１】本発明の第１の実施形態に係る照明制御システムのブロック図。
【図２】同システムの制御部及び明るさセンサのブロック図。
【図３】同システムの照明器具の配置例を示す平面配置図。
【図４】第１の実施形態のグループ分けを行わない場合の照明器具の平面配置図。
【図５】本発明の第２の実施形態に係る照明制御システムにおける記憶部のメモリマップ。
【符号の説明】
【００２８】
１  照明制御システム
１０  照明器具
１１  光源
１２  点灯回路
１３  制御部
１４  通信部
１６  明るさセンサ
３０Ａ、３０Ｂ  グループ
【図１】
2009289471.tif 000003
【図２】
2009289471.tif 000004
【図３】
2009289471.tif 000005
【図４】
2009289471.tif 000006
【図５】
2009289471.tif 000007